(57)【要約】  【課題】  光学フィルタ切換え時に撮像素子を退避させるための機構を設ける必要がなく、その分だけ低コスト化や軽量化をすることのできるカメラ装置を提供する。  【解決手段】  カメラ装置１は、撮像素子４と、撮像素子４の前面に固定された複屈折板５と、複屈折板５の前側において撮像素子４の光路上に配置される光学ガラス部材８を備える。光学ガラス部材８は、それぞれ異なる光学特性を有する複数の光学特性エリア１１、１２を有する。光学ガラス部材８を光路と交差する方向に移動させることにより、複数の光学特性エリア１１、１２のうちの１つが光路上に配置されるように、光学特性エリア１１、１２の切り換えを行う。複数の光学特性エリアには、赤外線カットフィルタエリア１１と素ガラスエリア１２が含まれる。赤外線カットフィルタエリア１１は、光学ガラス部材８の表面上に、赤外線カット特性を有する赤外線カット材料を蒸着することにより形成される。【選択図】  図１
2012088685.tif 000002
【特許請求の範囲】
【請求項１】
撮像素子と、
前記撮像素子の前面に固定された複屈折板と、
前記複屈折板の前側において前記撮像素子の光路上に配置され、それぞれ異なる光学特性を有する複数の光学特性エリアを有する光学ガラス部材と、
前記光学ガラス部材を前記光路と交差する方向に移動させることにより、前記複数の光学特性エリアのうちの１つが前記光路上に配置されるように、前記光学特性エリアの切り換えを行う切換え手段と、
を備え、
前記複数の光学特性エリアには、赤外線カットフィルタエリアと素ガラスエリアが含まれ、前記赤外線カットフィルタエリアは、前記光学ガラス部材の表面上に、赤外線カット特性を有する赤外線カット材料を蒸着することにより形成されていることを特徴とするカメラ装置。
【請求項２】
前記光学ガラス部材は、１枚のガラス板で構成されており、
前記光学ガラス部材には、前記光学特性エリアの切り換えを行うときの移動方向に沿って延びるガイド辺が設けられ、
前記光学ガラス部材が取り付けられるケースには、前記ガイド辺に当接して前記光学ガラス部材を前記移動方向に移動させるようにガイドするガイド部が設けられていることを特徴とする請求項１に記載のカメラ装置。
【請求項３】
前記切換え手段は、前記光学ガラス部材に取り付けられるホルダ部材と、前記ホルダ部材に設けられたピンが挿入される長穴を有するリンク部材と、前記リンク部材を回動させる駆動源とで構成され、
前記光学特性エリアの切り換えを行うときには、前記リンク部材を回動させることにより、前記ピンが前記長穴の中でスライドして、前記光学ガラス部材が前記移動方向に移動することを特徴とする請求項２に記載のカメラ装置。
【請求項４】
前記光学ガラス部材には、ピンを取り付けるための穴部が設けられており、
前記切換え手段は、前記光学ガラス部材の穴部に取り付けられた前記ピンと、前記ピンが挿入される長穴を有するリンク部材と、前記リンク部材を回動させる駆動源で構成され、
前記光学特性エリアの切り換えを行うときには、前記リンク部材を回動させることにより、前記ピンが前記長穴の中でスライドして、前記光学ガラス部材が前記移動方向に移動することを特徴とする請求項２に記載のカメラ装置。
【請求項５】
前記光学ガラス部材には、長穴が設けられており、
前記切換え手段は、前記光学ガラスの長穴に挿入されるピンを有するリンク部材と、前記リンク部材を回動させる駆動源とで構成され、
前記光学特性エリアの切り換えを行うときには、前記リンク部材を回動させることにより、前記ピンが前記長穴の中でスライドして、前記光学ガラス部材が前記移動方向に移動することを特徴とする請求項２に記載のカメラ装置。
【請求項６】
前記蒸着において、前記赤外線カットフィルタエリア以外のエリアを覆うマスキング部材が用いられ、
前記切換え手段は、前記赤外線カットフィルタエリアを前記光路上に配置するときに、前記マスキング部材で覆われていたエリアと前記赤外線カットフィルタエリアとの境界部分を前記光路上に配置しないように、前記光学特性エリアの切り換えを行うことを特徴とする請求項１ないし請求項５のいずれかに記載のカメラ装置。
【請求項７】
前記複数の光学特性エリアには、減光フィルタエリアが含まれ、前記減光フィルタエリアは、前記光学ガラス部材の表面上に、減光特性を有する減光材料を蒸着することにより形成されていることを特徴とする請求項１ないし請求項６のいずれかに記載のカメラ装置。
【請求項８】
前記複数の光学特性エリアには、ホワイトバランス調整用エリアが含まれ、前記ホワイトバランス調整用エリアは、前記光学ガラス部材の表面上に、ホワイトバランス調整で基準となる基準白色を有する白色材料を貼付することにより形成されていることを特徴とする請求項１ないし請求項７のいずれかに記載のカメラ装置。
【請求項９】
カメラ装置を製造するための方法であって、
前記カメラ装置は、
撮像素子と、前記撮像素子の前面に固定された複屈折板と、前記複屈折板の前側において前記撮像素子の光路上に配置され、それぞれ異なる光学特性を有する複数の光学特性エリアを有する光学ガラス部材と、前記光学ガラス部材を前記光路と交差する方向に移動させることにより、前記複数の光学特性エリアのうちの１つが前記光路上に配置されるように、前記光学特性エリアの切り換えを行う切換え手段と、を備え、
前記複数の光学特性エリアには、赤外線カットフィルタエリアと素ガラスエリアが含まれており、
前記製造方法は、
前記光学ガラス部材を用意することと、
前記光学ガラス部材の表面上に、赤外線カット特性を有する赤外線カット材料を蒸着することにより、前記赤外線カットフィルタエリアを形成することと、
を含むことを特徴とするカメラ装置の製造方法。
【発明の詳細な説明】
【技術分野】
【０００１】
本発明は、光学フィルタ切換え機能を備えたカメラ装置に関するものである。
【背景技術】
【０００２】
カメラ装置は、例えば、監視エリアを監視するための監視カメラ等として利用されている。従来、昼夜を問わず監視を行うために、光学フィルタ（赤外線カットフィルタ）を切り換える機能を備えた監視カメラが提案されている（例えば、特許文献１および２参照）。
【０００３】
このような従来の監視カメラにおいては、昼間の撮影では、赤外線カットフィルタを撮像素子の前面に配置して撮影が行われ、夜間の撮影では、光学ガラス（素ガラス）を撮像素子の前面に配置して撮影が行われる。
【先行技術文献】
【特許文献】
【０００４】
【特許文献１】特開２００１−７５１４０号公報
【特許文献２】特開２００６−１４８２９９号公報
【発明の概要】
【発明が解決しようとする課題】
【０００５】
しかしながら、従来の監視カメラで用いられる光学フィルタ部材１０６では、図１４に示すように、光学フィルタ部材１０６のフィルター枠１０７に２つの窓部１０９が設けられ、一方の窓部に赤外線カットフィルタ部材１１１が嵌め込まれ、他方の窓部に光学ガラス部材１１２が嵌め込まれていた。赤外線カットフィルタ部材１１１と光学ガラス部材１１２とは、フィルター枠１０７によって仕切られており、したがって、赤外線カットフィルタ部材１１１と光学ガラス部材１１２との間には、フィルター枠１０７の段差が存在することになる。そのため、図１５に示すように、光学フィルタ部材１１１と撮像素子１０４が近くに配置される場合には、赤外線カットフィルタ部材１１１から光学ガラス部材１１２への切り換えを行うときに、撮像素子１０４がフィルター枠１０７の段差に接触しないように、撮像素子１０４（または光学フィルタ部材１０６）を退避させて、撮像素子１０４と光学フィルタ部材１０６を互いに離す必要があり、そのための機構（撮像素子１０４を退避させるための機構）を設ける必要があった。そして、このような機構を別途設けるとすると、その分だけ製品（カメラ装置）の製造コストが高くなり、総重量も重くなってしまうという問題があった。また、撮像素子１０４を退避させるための機構を設けない場合には、撮像素子１０４と光学フィルタ部材１０６との距離が離れ、光学フィルタ部材６に付着した埃が映されるという問題があった。
【０００６】
本発明は、上記従来の問題を解決するためになされたもので、撮像素子を退避させずに光学フィルタ切換えを行うことができ、低コスト化や軽量化を実現することのできるカメラ装置を提供することを目的とする。
【課題を解決するための手段】
【０００７】
本発明のカメラ装置は、撮像素子と、前記撮像素子の前面に固定された複屈折板と、前記複屈折板の前側において前記撮像素子の光路上に配置され、それぞれ異なる光学特性を有する複数の光学特性エリアを有する光学ガラス部材と、前記光学ガラス部材を前記光路と交差する方向に移動させることにより、前記複数の光学特性エリアのうちの１つが前記光路上に配置されるように、前記光学特性エリアの切り換えを行う切換え手段と、を備え、前記複数の光学特性エリアには、赤外線カットフィルタエリアと素ガラスエリアが含まれ、前記赤外線カットフィルタエリアは、前記光学ガラス部材の表面上に、赤外線カット特性を有する赤外線カット材料を蒸着することにより形成された構成を有している。
【０００８】
この構成により、赤外線カットフィルタエリアと素ガラスエリアという２つの光学特性エリアを撮影状況に応じて切り換えることにより、好適な撮影を行うことができる。例えば、昼間の撮影では、赤外線カットフィルタエリアに切り換えて、赤外光の影響を抑えた高画質の画像を得ることができる。また、夜間の撮影では、素ガラスエリアに切り換えて感度の高い画像を得ることができる。しかも、本発明では、この赤外線カットフィルタエリアが蒸着により形成されているので、赤外線カットフィルタエリアが極めて薄く、切り換えを行うときに撮像素子を退避させる必要がない。したがって、撮像素子を退避させるための機構を設ける必要がなく、その分だけ低コスト化や軽量化をすることができる。また、撮像素子と光学フィルタ部材を接近させることができ、光学フィルタ部材に付着した埃を映らなくすることができる。
【０００９】
また、本発明のカメラ装置では、前記光学ガラス部材は、１枚のガラス板で構成されており、前記光学ガラス部材には、前記光学特性エリアの切り換えを行うときの移動方向に沿って延びるガイド辺が設けられ、前記光学ガラス部材が取り付けられるケースには、前記ガイド辺に当接して前記光学ガラス部材を前記移動方向に移動させるようにガイドするガイド部が設けられている構成を有している。
【００１０】
この構成により、光学ガラス部材を１枚のガラス板で構成することができる。光学特性エリアの切り換えを行うときには、光学ガラス部材のガイド辺がガイド部に当接して、光学ガラス部材の移動方向が適切にガイドされる。このような光学ガラス部材（１枚のガラス板で構成した光学ガラス部材）によれば、従来のような厚いフィルター枠を用いる必要がなくなり、光学ガラス部材のさらなる薄型化（従来のようなフィルター枠を用いる場合にはできないような薄型化）が可能になる。
【００１１】
また、本発明のカメラ装置では、前記切換え手段は、前記光学ガラス部材に取り付けられるホルダ部材と、前記ホルダ部材に設けられたピンが挿入される長穴を有するリンク部材と、前記リンク部材を回動させる駆動源とで構成され、前記光学特性エリアの切り換えを行うときには、前記リンク部材を回動させることにより、前記ピンが前記長穴の中でスライドして、前記光学ガラス部材が前記移動方向に移動する構成を有している。
【００１２】
この構成により、光学ガラス部材のホルダ部材にピンが設けられており、リンク部材の長穴にそのピンが挿入される。駆動源によりリンク部材を回動させると、ピンが長穴の中でスライドして、光学ガラス部材が移動方向に移動する。このようにして、光学特性エリアの切り換えを行うことができる。
【００１３】
また、本発明のカメラ装置では、前記光学ガラス部材に、ピンを取り付けるための穴部が設けられており、前記切換え手段は、前記光学ガラス部材の穴部に取り付けられた前記ピンと、前記ピンが挿入される長穴を有するリンク部材と、前記リンク部材を回動させる駆動源で構成され、前記光学特性エリアの切り換えを行うときには、前記リンク部材を回動させることにより、前記ピンが前記長穴の中でスライドして、前記光学ガラス部材が前記移動方向に移動する構成を有している。
【００１４】
この構成により、光学ガラス部材に穴部が設けられ、その穴部にピンが取り付けられる。そして、リンク部材の長穴にそのピンが挿入される。駆動源によりリンク部材を回動させると、ピンが長穴の中でスライドして、光学ガラス部材が移動方向に移動する。このようにして、光学特性エリアの切り換えを行うことができる。
【００１５】
また、本発明のカメラ装置では、前記光学ガラス部材に、長穴が設けられており、前記切換え手段は、前記光学ガラスの長穴に挿入されるピンを有するリンク部材と、前記リンク部材を回動させる駆動源とで構成され、前記光学特性エリアの切り換えを行うときには、前記リンク部材を回動させることにより、前記ピンが前記長穴の中でスライドして、前記光学ガラス部材が前記移動方向に移動する構成を有している。
【００１６】
この構成により、光学ガラス部材に長穴が設けられ、その長穴にリンク部材のピンが挿入される。駆動源によりリンク部材を回動させると、ピンが長穴の中でスライドして、光学ガラス部材が移動方向に移動する。このようにして、光学特性エリアの切り換えを行うことができる。
【００１７】
また、本発明のカメラ装置では、前記蒸着において、前記赤外線カットフィルタエリア以外のエリアを覆うマスキング部材が用いられ、前記切換え手段は、前記赤外線カットフィルタエリアを前記光路上に配置するときに、前記マスキング部材で覆われていたエリアと前記赤外線カットフィルタエリアとの境界部分を前記光路上に配置しないように、前記光学特性エリアの切り換えを行う構成を有している。
【００１８】
この構成により、マスキング部材で覆われていたエリア（マスキングエリア）と赤外線カットフィルタエリアとの境界部分は、光路上に配置されない。この境界部分では、蒸着材料の膜厚が均一にならず、にじみが発生することがある。したがって、にじみによって画質が低下するのを防ぐことができる。
【００１９】
また、本発明のカメラ装置では、前記複数の光学特性エリアには、減光フィルタエリアが含まれ、前記減光フィルタエリアは、前記光学ガラス部材の表面上に、減光特性を有する減光材料を蒸着することにより形成されている構成を有している。
【００２０】
この構成により、撮影状況に応じて減光フィルタエリアに切り換えることにより、好適な撮影を行うことができる。例えば、光量の多い屋外の撮影では、減光フィルタエリアに切り換えて、光量を抑えた画像を得ることができる。本発明では、この減光フィルタエリアも蒸着により形成されているので、減光フィルタエリアが極めて薄く、切り換えを行うときに撮像素子を退避させる必要がない。したがって、撮像素子を退避させるための機構を設ける必要がなく、その分だけ低コスト化や軽量化をすることができる。
【００２１】
また、本発明のカメラ装置では、前記複数の光学特性エリアには、ホワイトバランス調整用エリアが含まれ、前記ホワイトバランス調整用エリアは、前記光学ガラス部材の表面上に、ホワイトバランス調整で基準となる基準白色を有する白色材料を貼付することにより形成されている構成を有している。
【００２２】
この構成により、ホワイトバランス調整用エリアに切り換えることにより、ホワイトバランス調整を行うことができる。このホワイトバランス調整用エリアを撮影した画像は、ホワイトバランス調整で基準とされる基準白色の画像であるので、その画像を用いてホワイトバランス調整を行うことが可能となる。
【００２３】
また、本発明の方法は、カメラ装置を製造するための方法であって、前記カメラ装置は、撮像素子と、前記撮像素子の前面に固定された複屈折板と、前記複屈折板の前側において前記撮像素子の光路上に配置され、それぞれ異なる光学特性を有する複数の光学特性エリアを有する光学ガラス部材と、前記光学ガラス部材を前記光路と交差する方向に移動させることにより、前記複数の光学特性エリアのうちの１つが前記光路上に配置されるように、前記光学特性エリアの切り換えを行う切換え手段と、を備え、前記複数の光学特性エリアには、赤外線カットフィルタエリアと素ガラスエリアが含まれており、前記製造方法は、前記光学ガラス部材を用意することと、前記光学ガラス部材の表面上に、赤外線カット特性を有する赤外線カット材料を蒸着することにより、前記赤外線カットフィルタエリアを形成することと、を含んでいる。
【００２４】
この製造方法によれば、赤外線カットフィルタエリアが蒸着により形成されるので、赤外線カットフィルタエリアを極めて薄くすることができる。そのため、光学特性エリアの切り換えを行うときに撮像素子を退避させる必要がなくなる。したがって、カメラ装置に、撮像素子を退避させるための機構を設ける必要がなくなり、その分だけ、カメラ装置の製造コストを低く抑えることができる。
【発明の効果】
【００２５】
本発明は、光学フィルタ切換えの際に撮像素子を退避させるための機構を設ける必要がなく、その分だけ低コスト化や軽量化をすることができるという効果を有するカメラ装置を提供することができるものである。
【図面の簡単な説明】
【００２６】
【図１】本発明の第１の実施の形態におけるカメラ装置の主要部の構成の説明図
【図２】本発明の第１の実施の形態におけるカメラ装置の斜視図
【図３】本発明の第１の実施の形態のカメラ装置で用いられる光学フィルタ部材の説明図
【図４】本発明の第１の実施の形態における光学フィルタ切換え（赤外線カットフィルタエリアへの切換え）の説明図
【図５】本発明の第１の実施の形態における光学フィルタ切換え（素ガラスエリアへの切換え）の説明図
【図６】本発明の第２の実施の形態におけるカメラ装置の主要部の構成の説明図
【図７】本発明の第２の実施の形態におけるカメラ装置の光学フィルタ切換えの説明図
【図８】本発明の第３の実施の形態におけるカメラ装置の構成の説明図
【図９】本発明の第４の実施の形態におけるカメラ装置の説明図（分解斜視図）
【図１０】本発明の第４の実施の形態における光学フィルタ切換え（赤外線カットフィルタエリアへの切換え）の説明図
【図１１】本発明の第４の実施の形態における光学フィルタ切換え（素ガラスエリアへの切換え）の説明図
【図１２】本発明の第４の実施の形態の変形例（変形例１）におけるカメラ装置の説明図
【図１３】本発明の第４の実施の形態の他の変形例（変形例２）におけるカメラ装置の説明図
【図１４】従来のカメラ装置で用いられる光学フィルタ部材の斜視図
【図１５】従来のカメラ装置で用いられる光学フィルタ部材の説明図
【発明を実施するための形態】
【００２７】
以下、本発明の実施の形態のカメラ装置について、図面を用いて説明する。本実施の形態では、監視カメラ等に用いられるカメラ装置の場合を例示する。なお、以下の実施の形態では、本発明のカメラ装置を、いわゆるボックス型カメラ（オプションレンズ仕様のカメラ装置）に適用する場合について例示するが、いわゆるドーム型カメラ（ビルトイン仕様のカメラ装置）についても同様に適用可能である。
【００２８】
（第１の実施の形態）
本発明の第１の実施の形態のカメラ装置の構成を、図面を参照して説明する。図１は、本実施の形態のカメラ装置の主要部の構成を示す説明図である。図２は、本実施の形態のカメラ装置の斜視図である。
【００２９】
図２に示すように、カメラ装置１は、箱形の筐体２を備え、筐体２の前面には、レンズ窓３が設けられている。図１に示すように、筐体２の内部には、レンズ光路上に撮像素子４が配置されている。この撮像素子４は、例えばＣＣＤやＣＭＯＳなどで構成されている。なお、レンズ光路は、撮像素子４の光路であるともいえる。
【００３０】
撮像素子４の前面（撮像面）には、複屈折板５が固定されている。複屈折板５は、水晶で構成されており、光学ローパスフィルターとしての役割を果たす。この複屈折板５の前側（図１における左側）には、レンズ光路上に光学フィルタ部材６が配置されている。
【００３１】
図３は、光学フィルタ部材６の説明図である。図１および図３に示すように、光学フィルタ部材６は、フィルター枠７と光学ガラス部材８で構成される。フィルター枠７の外形は、略四角形状である。このフィルター枠７には、１つの開口９が設けられている。開口９の形状は、四角形状である。光学ガラス部材８の形状も四角形状である。光学ガラス部材８の大きさは、フィルター枠７の開口９よりも少し大きい。したがって、光学ガラス部材８は、フィルター枠７の開口９には嵌め込まれず、フィルター枠７の上に載せられる。そして、光学ガラス部材８の４隅が、フィルター枠７に接着剤１０で固定される（図４および図５参照）。光学ガラス部材８には、２つの光学特性エリアが設けられている。２つの光学特性エリアは、それぞれ異なる光学特性を有しており、本実施の形態では、赤外線カットフィルタエリア１１（ＩＲカットフィルタエリア）と素ガラスエリア１２である。
【００３２】
光学ガラス部材８は、光学ガラスで構成されている。赤外線カットフィルタエリア１１は、この光学ガラス部材８の表面上に、赤外線カット特性を有する材料（赤外線カット材料）を蒸着することにより形成されている。赤外線カット材料としては、例えば、ＴｉＯ２、ＳｉＯ２、ＺｎＯ２などが使用される。素ガラスエリア１２には、赤外線カット材料は蒸着されていない。
【００３３】
光学ガラス部材８に赤外線カット材料を蒸着する際には、マスキング部材（図示せず）が利用される。マスキング部材は、蒸着の前に光学ガラスに貼り付けられ、赤外線カットフィルタエリア１１以外のエリア（マスキングエリアともいう）を覆う。このようなマスキング部材を用いた蒸着では、赤外線カットフィルタエリア１１とマスキングエリアとの境界部分１３（境界エリア）に、にじみが発生することがある。したがって、後述するように、本実施の形態では、このにじみが発生する境界部分１３（にじみエリア）がレンズ光路上に配置されないように、光学フィルタ切換えが行われる。
【００３４】
つぎに、図４および図５を参照して、光学特性エリア（赤外線カットフィルタエリア１１と素ガラスエリア１２）の切換え機構について説明する。図４は、赤外線カットフィルタエリア１１への切換えの説明図であり、図５は、素ガラスエリア１２への切換えの説明図である。
【００３５】
図４および図５に示すように、フィルター枠７には、長穴１４を有する突片部１５が設けられている（図３参照）。この突片部１５の長穴１４には、リンク部材１６のピン１７がスライド自在に挿入される。リンク部材１６は、モータ１８の駆動力によって回動可能である。モータ１８の駆動力は、リンク部材１６を介してフィルタ枠に伝達される。したがって、フィルタ枠は、モータ１８の駆動力によって上下方向（光軸と交差する方向）にスライド可能である。
【００３６】
リンク部材１６が回動すると、フィルター枠７の長穴１４の中でピン１７がスライドし、フィルター枠７が上下方向（光軸と交差する方向）に移動する。このようにして、リンク部材１６の回動運動が、フィルタ枠の上下運動に変換される。これらのフィルタ枠とリンク部材１６とモータ１８が、本発明の切換え手段に相当する。
【００３７】
本実施の形態のカメラ装置１は、２つの切換え位置を有している。第１の切換え位置では、リンク部材１６が時計回り（右回り）に回動され、光学フィルタ部材６が上方に移動して、赤外線カットフィルタエリア１１が光路上に配置される（図４参照）。第２の切換え位置では、リンク部材１６が反時計回り（左回り）に回動され、光学フィルタ部材６が下方に移動して、素ガラスエリア１２が光路上に配置される（図５参照）。このように、光学特性エリア（赤外線カットフィルタエリア１１と素ガラスエリア１２）のうちの１つが光路上に配置される。この場合、２つの切換え位置のいずれでも、赤外線カットフィルタエリア１１とマスキングエリアとの境界部分１３は光路上に配置されない。
【００３８】
このような本発明の第１の実施の形態のカメラ装置１によれば、光学フィルタ切換え時に撮像素子４を退避させるための機構を設ける必要がなく、その分だけ低コスト化や軽量化をすることができる。
【００３９】
本実施の形態のカメラ装置１では、赤外線カットフィルタエリア１１と素ガラスエリア１２という２つの光学特性エリアを撮影状況に応じて切り換えることにより、好適な撮影を行うことができる。例えば、昼間の撮影では、赤外線カットフィルタエリア１１に切り換えて、赤外光の影響を抑えた高画質の画像を得ることができる。また、夜間の撮影では、素ガラスエリア１２に切り換えて感度の高い画像を得ることができる。しかも、本実施の形態では、この赤外線カットフィルタエリア１１が蒸着により形成されているので、赤外線カットフィルタエリア１１が極めて薄く、切り換えを行うときに撮像素子４を退避させる必要がない。したがって、撮像素子４を退避させるための機構を設ける必要がなく、その分だけカメラ装置１の低コスト化や軽量化をすることができる。また、撮像素子４と光学フィルタ部材６を接近させることができ、光学フィルタ部材６に付着した埃を映らなくすることができる。
【００４０】
また、本実施の形態では、マスキング部材で覆われていたエリア（マスキングエリア）と赤外線カットフィルタエリア１１との境界部分１３は、光路上に配置されない。この境界部分１３では、蒸着材料の膜厚が均一にならず、にじみが発生することがある。したがって、にじみによって画質が低下するのを防ぐことができる。
【００４１】
（第２の実施の形態）
次に、本発明の第２の実施の形態のカメラ装置１について説明する。ここでは、第２の実施の形態のカメラ装置１が、第１の実施の形態と相違する点を中心に説明する。ここで特に言及しない限り、本実施の形態の構成および動作は、第１の実施の形態と同様である。
【００４２】
図６は、本実施の形態のカメラ装置１の主要部の構成を示す説明図であり、図７は、本実施の形態の光学フィルタ切換えの説明図である。図６および図７に示すように、本実施の形態では、光学ガラス部材８に、３つの光学特性エリアが設けられている。この３つの光学特性エリアは、赤外線カットフィルタエリア１１と素ガラスエリア１２と減光フィルタエリア１９（ＮＤフィルタエリア）である。
【００４３】
減光フィルタエリア１９は、光学ガラス部材８の表面上に、減光特性を有する材料（減光材料）を蒸着することにより形成されている。減光材料としては、例えば、Ａｌなどが使用される。なお、赤外線カットフィルタエリア１１と素ガラスエリア１２については、第１の実施の形態と同様であるので、ここでは説明を省略する。
【００４４】
光学ガラス部材８に減光材料を蒸着する際にも、マスキング部材が利用される。減光材料が蒸着される面は、赤外線カット材料が蒸着される面とは反対側の面であることが好ましい。図６では、赤外線カット材料が光学ガラス部材８の表面（おもて面、図６の左側の面）に蒸着され、減光材料が光学ガラス部材８の裏面（図６の右側の面）に蒸着されている。
【００４５】
赤外線カット材料や減光材料が蒸着される際には、マスキング部材（利用される）。仮に、減光材料が蒸着される面が、赤外線カット材料が蒸着される面と同じ面であるとすると、一方の材料（例えば、赤外線カット材料）の蒸着が完了した後に、もう一方の材料（例えば、減光材料）の蒸着をする際には、すでに蒸着された材料（赤外線カット材料）の上にマスキング部材を貼り付けることになる。そのため、もう一方の材料（減光材料）の蒸着が完了した後に、そのマスキング部材を剥がす際、蒸着された材料（赤外線カット材料）も一緒に剥がされてしまうおそれがある。減光材料が蒸着される面が、赤外線カット材料が蒸着される面と反対側の面であれば、このようなおそれがない。
【００４６】
このような本発明の第２の実施の形態のカメラ装置１によっても、第１の実施の形態と同様の作用効果が奏される。
【００４７】
その上、本実施の形態のカメラ装置１では、撮影状況に応じて減光フィルタエリア１９に切り換えることにより、好適な撮影を行うことができる。例えば、光量の多い屋外の撮影では、減光フィルタエリア１９に切り換えて、光量を抑えた画像を得ることができる。そして、この減光フィルタエリア１９も蒸着により形成されているので、減光フィルタエリア１９が極めて薄く、切り換えを行うときに撮像素子４を退避させる必要がない。したがって、撮像素子４を退避させるための機構を設ける必要がなく、その分だけ低コスト化や軽量化をすることができる。
【００４８】
（第３の実施の形態）
次に、本発明の第３の実施の形態のカメラ装置１について説明する。ここでは、第３の実施の形態のカメラ装置１が、第１の実施の形態と相違する点を中心に説明する。ここで特に言及しない限り、本実施の形態の構成および動作は、第１の実施の形態と同様である。
【００４９】
図８は、本実施の形態のカメラ装置１の構成を示す説明図である。図８に示すように、本実施の形態の光学フィルタ部材６は、円形の光学ガラス部材８で構成される。そして、この光学ガラス部材８には、４つの光学特性エリアが設けられている。この４つの光学特性エリアは、赤外線カットフィルタエリア１１と素ガラスエリア１２と減光フィルタエリア１９とホワイトバランス調整用エリア２０である。
【００５０】
ホワイトバランス調整用エリア２０は、光学ガラス部材８の表面上に、ホワイトバランス調整で基準となる基準白色を有する材料（白色材料）を貼付することにより形成されている。白色材料は、例えば、シート状の部材やフィルム状の部材などで構成され、白色部材と呼ぶこともできる。なお、赤外線カットフィルタエリア１１と素ガラスエリア１２については、第１の実施の形態と同様であり、減光フィルタエリア１９については、第２の実施の形態と同様であるので、これらの光学特性エリアについては、ここでは説明を省略する。
【００５１】
本実施の形態では、光学フィルタ部材６（円形の光学ガラス部材８）が、モータ（図示せず）の駆動力によって回転する。モータの駆動力によって光学フィルタ部材６が回転して、４つの回転位置（４つの光学特性エリアが光路上に配置される回転位置）の切換えが行われる（図８参照）。
【００５２】
このような本発明の第３の実施の形態のカメラ装置１によっても、第１の実施の形態と同様の作用効果が奏される。
【００５３】
その上、本実施の形態のカメラ装置１では、ホワイトバランス調整用エリア２０に切り換えることにより、ホワイトバランス調整を行うことができる。このホワイトバランス調整用エリア２０を撮影した画像は、ホワイトバランス調整で基準とされる基準白色の画像であるので、その画像を用いてホワイトバランス調整を行うことが可能となる。ただし、このホワイトバランス調整用エリア２０は貼付により形成されているので、切り換えを行うときに撮像素子４を僅かではあるが退避させる必要がある。
【００５４】
（第４の実施の形態）
次に、本発明の第４の実施の形態のカメラ装置１について説明する。ここでは、第４の実施の形態のカメラ装置１が、第１の実施の形態と相違する点を中心に説明する。ここで特に言及しない限り、本実施の形態の構成および動作は、第１の実施の形態と同様である。
【００５５】
図９は、本実施の形態のカメラ装置１の構成を説明するための分解斜視図である。図９に示すように、本実施の形態の光学ガラス部材８は、１枚のガラス板で構成されている。この光学ガラス部材８は、ケース２１の中に収納されている。このケース２１は、フロントケース２２とリヤケース２３で構成されており、光学ガラス部材８は、リヤケース２３に取り付けられている。
【００５６】
図９に示すように、光学ガラス部材８の形状は、略四角形状（略長方形状）であり、光学ガラス部材８は、光学特性エリアの切り換えを行うときに、長辺に沿う方向にスライド移動される。つまり、光学ガラス部材８の長辺は、光学特性エリアの切り換えを行うときの移動方向に沿って延びている。リヤケース２３には、光学ガラス部材８の長辺に当接するガイド部２４が設けられている。
【００５７】
この場合、光学ガラス部材８の２つの長辺のうち、一方の長辺（図１０および図１１の上側の辺）には、二つのガイド部２４の凸部がそれぞれ当接しており、もう一方の長辺（図１０および図１１の下側の辺）には、一つのガイド部２４の凸部（二つの凸部）が当接している。このように、光学ガラス部材８の長辺にガイド部２４がそれぞれ外側から当接する（光学ガラス部材８がガイド部２４によって挟まれる）ことによって、光学ガラス部材８は、光学特性エリアの切り換えを行うときの移動方向（光軸と交差する方向）にスライド移動するようにガイドされる。したがって、光学ガラス部材８の長辺は、ガイド辺と呼ぶこともできる。
【００５８】
また、図９に示すように、光学ガラス部材８の端部には、ホルダ部材２５が取り付けられている。ホルダ部材２５の中央部には、ピン２６が立設されている。このピン２６は、リンク部材２７の長穴２８にスライド自在に挿入される。リンク部材２７は、モータ１８の駆動力によって回動可能である。モータ１８の駆動力は、リンク部材２７を介して光学ガラス部材８に伝達される。このようにして、光学ガラス部材８は、モータ１８の駆動力によって光軸と交差する方向（図１０、１１における左右方向）にスライドできるように構成されている。ここで、モータ１８は、本発明の駆動源に相当する。
【００５９】
つぎに、図１０および図１１を参照して、光学特性エリア（赤外線カットフィルタエリア１１と素ガラスエリア１２）の切換えについて説明する。この場合、リンク部材２７が回動すると、リンク部材２７の長穴２８の中でピン２６がスライドし、光学ガラス部材８が左右方向（光軸と交差する方向）にスライド移動する。このようにして、リンク部材２７の回動運動が、光学ガラス部材８の左右方向の運動に変換される。
【００６０】
本実施の形態のカメラ装置１も、第１の実施の形態と同様に、２つの切換え位置を有している。第１の切換え位置では、リンク部材２７が時計回り（右回り）に回動され、光学ガラス部材８が右方向に移動して、赤外線カットフィルタエリア１１が光路上に配置される（図１０参照）。第２の切換え位置では、リンク部材２７が反時計回り（左回り）に回動され、光学ガラス部材８が左方向に移動して、素ガラスエリア１２が光路上に配置される（図１１参照）。このように、光学特性エリア（赤外線カットフィルタエリア１１と素ガラスエリア１２）のうちの一方が光路上に配置される。この場合、２つの切換え位置のいずれにおいても、ガイド部２４は光学ガラス部材８の長辺に当接する（ガイド部２４が光学ガラス部材８から離れない）ようになっている。
【００６１】
このような本発明の第４の実施の形態のカメラ装置１によっても、第１の実施の形態と同様の作用効果が奏される。
【００６２】
その上、本実施の形態のカメラ装置１では、光学ガラス部材８を１枚のガラス板で構成することができる。光学特性エリアの切り換えを行うときには、光学ガラス部材８のガイド辺がガイド部２４に当接して、光学ガラス部材８の移動方向が適切にガイドされる。このような光学ガラス部材８（１枚のガラス板で構成した光学ガラス部材８）によれば、従来のような厚いフィルター枠を用いる必要がなくなり、光学ガラス部材８のさらなる薄型化（従来のようなフィルター枠を用いる場合にはできないような薄型化）が可能になる。
【００６３】
この場合、光学ガラス部材８のホルダ部材２５にピン２６が設けられており、リンク部材２７の長穴２８にそのピン２６が挿入される。モータ１８によりリンク部材２７を回動させると、ピン２６が長穴２８の中でスライドして、光学ガラス部材８が移動方向に移動する。このようにして、光学特性エリアの切り換えを行うことができる。
【００６４】
（変形例）
次に、第４の実施の形態の変形例について説明する。図１２は、第４の実施の形態の変形例（変形例１）の構成を示す説明図である。図１２に示すように、この変形例１では、光学ガラス部材８の端部に、ピン２９を取り付けるための穴部３０が設けられており、リンク部材２７には、このピン２９が挿入される長穴２８が設けられている。そして、光学ガラス部材８の穴部３０にピン２９が取り付けられ、リンク部材２７の長穴２８にそのピン２９がスライド自在に挿入されている。
【００６５】
この変形例１でも、光学特性エリア（赤外線カットフィルタエリア１１と素ガラスエリア１２）の切換えを行うときには、モータ１８の回転駆動力でリンク部材２７を回動させる。この場合、第４の実施の形態と同様に、リンク部材２７が回動すると、リンク部材２７の長穴２８の中でピン２９がスライドし、光学ガラス部材８が左右方向（光軸と交差する方向）にスライド移動する（図１０および図１１参照）。このようにして、変形例１でも、光学特性エリアの切り換えを行うことができる。
【００６６】
図１３は、第４の実施の形態の他の変形例（変形例２）の構成を示す説明図である。図１３に示すように、この変形例２では、光学ガラス部材８の端部に、長穴３１が設けられており、リンク部材２７には、この長穴３１に挿入されるピン３２が設けられている。そして、光学ガラス部材８の長穴３１に、リンク部材２７のピン３２がスライド自在に挿入されている。
【００６７】
この変形例２で、も、光学特性エリア（赤外線カットフィルタエリア１１と素ガラスエリア１２）の切換えを行うときには、モータ１８の回転駆動力でリンク部材２７を回動させる。この場合、リンク部材２７が回動すると、光学ガラス部材８の長穴３１の中でピン３２がスライドし、光学ガラス部材８が左右方向（光軸と交差する方向）にスライド移動する（図１０および図１１参照）。このようにして、変形例２でも、光学特性エリアの切り換えを行うことができる。
【００６８】
以上、本発明の実施の形態を例示により説明したが、本発明の範囲はこれらに限定されるものではなく、請求項に記載された範囲内において目的に応じて変更・変形することが可能である。
【産業上の利用可能性】
【００６９】
以上のように、本発明にかかるカメラ装置は、光学フィルタ切換え時に撮像素子を退避させるための機構を設ける必要がなく、その分だけ低コスト化や軽量化をすることができるという効果を有し、監視カメラ等として有用である。
【符号の説明】
【００７０】
１  カメラ装置
２  筐体
３  レンズ窓
４  撮像素子
５  複屈折板
６  光学フィルタ部材
７  フィルター枠
８  光学ガラス部材
９  開口
１０  接着剤
１１  赤外線カットフィルタエリア
１２  素ガラスエリア
１３  境界部分
１４  長穴
１５  突片部
１６  リンク部材
１７  ピン
１８  モータ
１９  減光フィルタエリア
２０  ホワイトバランス調整用エリア
２１  ケース
２２  フロントケース
２３  リヤケース
２４  ガイド部
２５  ホルダ部材
２６  ピン
２７  リンク部材
２８  長穴
２９  ピン
３０  穴部
３１  長穴
３２  ピン
【図１】
2012088685.tif 000003
【図２】
2012088685.tif 000004
【図３】
2012088685.tif 000005
【図４】
2012088685.tif 000006
【図５】
2012088685.tif 000007
【図６】
2012088685.tif 000008
【図７】
2012088685.tif 000009
【図８】
2012088685.tif 000010
【図９】
2012088685.tif 000011
【図１０】
2012088685.tif 000012
【図１１】
2012088685.tif 000013
【図１２】
2012088685.tif 000014
【図１３】
2012088685.tif 000015
【図１４】
2012088685.tif 000016
【図１５】
2012088685.tif 000017